(57)【要約】[課題]破砕した鉱物の選別を、コンパクトな手段で、多数のサイズの鉱物にスムーズに選別する。[解決手段]投入された鉱物１２を風力分離するための送風ファン３などの送風手段と、落下した鉱物を受け、一定以上のサイズの鉱物１２を選別し、一定以下のサイズの鉱物１２を通過させる選別スクリーン１１を設置する。鉱物１２を送風手段によって飛ばし、サイズに応じて落下する位置を変え、選別スクリーン１１をスムーズに透過させ、選別手段をコンパクトに出来る。
2008126154.tif 000002
【特許請求の範囲】
【請求項１】
投入された鉱物を風力分離するための送風手段と、
落下した鉱物を受け、一定以上のサイズの鉱物を選別し、一定以下のサイズの鉱物を通過させる選別手段とを有する鉱物の選別方法において、
送風手段によって、より小径の鉱物をより遠くへ飛ばし、
比較的に限られた一定範囲のサイズの鉱物を、選別手段の上に落下させ、
選別手段によって一定範囲のサイズの鉱物を選別すること、
を特徴とする鉱物の選別方法。
【請求項２】
選別する鉱物を風力分離して、鉱物の大きさを選別する鉱物の選別装置であって、
鉱物を風力分離する空間から粉塵を集める集塵装置を有しており、
鉱物を風力分離する空間下に、選別スクリーンを配設したこと、
を特徴とする鉱物の選別装置。
【請求項３】
選別する鉱物を風力分離して、鉱物の大きさを選別する鉱物の選別装置であって、
鉱物を風力分離する空間から粉塵を集める集塵装置を有しており、
鉱物を風力分離する空間下に、選別スクリーンを配設し、
前記選別スクリーンの端部を、選別すべき鉱物が飛び至る位置までとしたこと、
を特徴とする鉱物の選別装置。
【請求項４】
請求項２又は３記載の鉱物の選別装置であって、
選別スクリーンの端部より更に奥に、選別スクリーンを有さない回収口を形成したこと、
を特徴とする鉱物の選別装置。
【請求項５】
請求項２、３又は４記載の鉱物の選別装置であって、
前記選別スクリーンには、選別すべき鉱物が飛び至る位置に、
鉱物を振り分ける中間部ダンパーを設けたこと、
を特徴とする鉱物の選別装置。
【発明の詳細な説明】
【技術分野】
【０００１】
本発明は、鉱物を、その大きさに応じて複数段階に分ける選別方法及びそれに使用する装置に関するものである。
【背景技術】
【０００２】
鉱物を遠心破砕機等で破砕して砕石とし、その大きさに応じて選別し、路盤材やコンクリートの骨材などのように、その需要に応じて供給していた。【０００３】
本件出願人は、その選別する装置として、特開２００３−１７５３６７号公報に記載した装置を開発している。同選別装置は、送風装置の風によって飛ばした被選別物（砕石）が、その大きさ（重さ）によって飛ぶ距離が異なるのを利用して選別するものである。
これを風力分離と呼ぶ。
飛ばされる空間の下に、鉱物を搬送するスクリューコンベアを、送風機からの距離を変えて２台設置し、落下してきた砕石このコンベアに集めるようにして、飛んだ距離によって二段階のサイズに分けるものである。【０００４】
また、鉱物を選別するための別の従来の手段として、篩目のサイズ（目合寸法）が異なる選別スクリーンを、篩目のサイズが大きい順に上下に配して、その上に様々なサイズの鉱物を一度に投下して、篩目より小さなサイズの鉱物をその下のスクリーンの上に落として、順に篩分けして複数のサイズに選別する手段も採用されている。【０００５】
しかしながら、一度に多数種のサイズの鉱物を同じ場所に投下すると、篩目よりも小さいサイズの鉱物が、篩目よりも大きな鉱物とからむようにしてスクリーン上を転がるため、篩分けする選別スクリーンは、長い距離転がって選別が確実に行えるように、長く、広い面積の選別スクリーンとしなければならなかった。
つまりは、このような選別装置は非常に大型となっていた。
【特許文献１】特開２００３−１７５３６７
【発明の開示】
【発明が解決しようとする課題】
【０００６】
本発明が解決しようとする課題は、吹き飛ばした鉱物（砕石）を、コンパクトな手段によって、効率的に選別出来なかったことを解決するものである。
【課題を解決するための手段】
【０００７】
本発明にかかる選別方法は、
投入された鉱物を風力分離するための送風手段と、
落下した鉱物を受け、一定以上のサイズの鉱物を選別し、一定以下のサイズの鉱物を通過させる選別手段とを有する鉱物の選別方法において、
送風手段によって、より小径の鉱物をより遠くへ飛ばし、
比較的に限られた一定範囲のサイズの鉱物を、選別手段の上に落下させ、
各選別手段によって一定範囲のサイズの鉱物を選別するものである。
本発明にかかる鉱物の選別装置は、
選別する鉱物を風力分離して、鉱物の大きさを選別する鉱物の選別装置であって、
鉱物を風力分離する空間から粉塵を集める集塵装置を有しており、
鉱物を風力分離する空間下に、選別スクリーンを配設するものである。
また、本発明にかかる鉱物の選別装置は、
選別する鉱物を風力分離して、鉱物の大きさを選別する鉱物の選別装置であって、
鉱物を風力分離する空間から粉塵を集める集塵装置を有しており、
鉱物を風力分離する空間下に、選別スクリーンを配設し、
前記選別スクリーンの端部を、選別すべき鉱物が飛び至る位置までとするものである。
更に、本発明にかかる鉱物の選別装置は、
選別スクリーンの端部より更に奥に、選別スクリーンを有さない回収口を形成するものである。
更に、本発明にかかる鉱物の選別装置は、
前記選別スクリーンには、選別すべき鉱物が飛び至る位置に、
鉱物を振り分ける中間部ダンパーを設けるものである。
【発明の効果】
【０００８】
本発明に係る鉱物の選別方法及びそれに使用する選別装置は、以上の構成によって以下の効果を得ることが可能である。
＜ａ＞送風によって飛ばして既にサイズごとに分けた鉱物を、ほぼ同じサイズの鉱物は選別手段の一定範囲の表面上に落下させるため、選別スクリーンを通り抜けさせるとき、より大きな鉱物と絡んで長い距離転がることがなくなって、網目（篩目）をスムーズに通過することとなり、大きな（長い）サイズの選別スクリーンが必要なくなり、選別装置自体をコンパクトにすることができる。
＜ｂ＞集塵装置を備えることにより、粉塵を選別スクリーンとは別に回収でき、他の鉱物の選別作業が著しく容易になる。つまりは、細かい鉱物が選別スクリーンの篩目（網目）に付着することなく、篩目の開口が狭くなることなく、選別作業の支障とならない。
＜ｃ＞鉱物は、サイズが異なるごとに選別手段の別の位置に落下するため、大きなサイズの鉱物が落下せず、目の細かいスクリーンの損傷が減少する。
＜ｄ＞各選別スクリーンの端部を、選別すべき被選別物が飛び至る位置までとすることにより、より遠くへ飛んだサイズの小さな被選別物は、直接選別さるべき篩目のサイズの小さな選別スクリーン上へ落下するため、上方に位置する目合寸法の大きな選別スクリーンに幾度もぶち当たって、スムーズな落下が妨げられるというようなことが生じない。
＜ｅ＞選別スクリーンよりも奥に、選別スクリーンを有さない回収口を設けることによって、細かい鉱物は選別スクリーンを通過させないため、スクリーンの能力がより向上する。
＜ｆ＞選別スクリーンには、選別すべきサイズの鉱物の飛び至る位置に、鉱物を振り分ける中間ダンパーを設けることにより、鉱物の飛散状況に応じて、その振り分け位置を調整できる。
【発明を実施するための最良の形態】
【０００９】
本発明では、鉱物を風力分離して、選別手段の一定範囲の表面上に落下させることにより、選別スクリーンの通過をスムーズにし、コンパクトな選別手段とするものである。
【実施例１】
【００１０】
＜１＞ハウジング
図１に示すのは、本発明の第一実施例であって、装置全体のハウジング躯体１は、その上下中間部の側壁が、上下の蛇腹１ａによって繋がれ、バイブレーター等の振動が伝達されるフルイキＡとなっている。
この選別手段であるフルイキＡは、後に述べる複数の選別スクリーン１１を内部に有し、それら選別スクリーン１１は、前記バイブレーターの振動が伝達されて振動する。
ハウジング躯体１の上部一側に、送風口２が開口している。送風口２からは、送風手段である送風ファン３の送風が、ハウジング躯体１の鉱物選別空間４に送られる。その送風口２の近くで、直上に、鉱物投入口５が開口している。【００１１】
＜２＞集塵装置
ハウジング躯体１の上部であって、送風口２と反対側には、集塵装置９が設置されている。
集塵装置９は、鉱物選別空間４に向けて集塵口１０を有しており、集塵装置９の吸引力によって、微細な鉱物を集めることが可能となっている。【００１２】
＜３＞選別スクリーン
ハウジング躯体１の鉱物選別空間４の下には、選別手段である多数の篩目を有する選別スクリーン１１が複数枚重ねて配置してある。
選別スクリーン１１は、上から下へ行くにつれて、その篩目のサイズ（目合い寸法）が選別する等級に従って小さくなっている。
各選別スクリーン１１の送風口２側端には、隔壁１４が設けられて、各選別スクリーン１１ごとに別々の排出口１５が形成されている。【００１３】
以上のような選別装置を使用しての鉱物の選別方法について、以下順次説明する。
＜４＞吹き飛ばし作業
前記鉱物投入口５から、装置内に鉱物１２を投入する。
送風ファン３からの送風によって、落下してきた鉱物１２を吹き飛ばす。
よりサイズが大きく重い鉱物１２は、遠くへは飛ばない。逆に、よりサイズが小さく軽い鉱物１２は、送風によってより遠くへ飛ぶことになる。
つまりは、風力によって鉱物１２を、一定の範囲のサイズごとに分離するものであって、これを本発明では風力分離と呼ぶ。【００１４】
＜５＞選別作業
選別スクリーン１１は、網状の部材であって、篩分ける篩目のサイズが、大きなものから順に上下に重ねられており、篩目のサイズより小さなサイズの鉱物１２は、そのスクリーン１１を通り抜けて、より下に落下する。
図１では、四枚のスクリーン１１ａ〜１１ｄが、その篩目のサイズが２０ｍｍのスクリーン１１ｄから、以下１３ｍｍ、５ｍｍ、３ｍｍのサイズの順に、スクリーン１１ｃ、１１ｂ、更に、最も下のスクリーン１１ａまで配設してある。
最も小さく軽いサイズの鉱物１２ａは、一番遠くへ飛ばされ、全ての選別スクリーン１１ｄから１１ａまでの篩目を通り抜けて、下に落ち、排出口１５ａから排出される。
それより大きなサイズ（等級）の鉱物１２ｂは、スクリーン１１ｄ、１１ｃ、１１ｂを通過し、スクリーン１１ａの上に落下して、スクリーン１１ａ上を転がり、排出口１５ｂから排出される。
同じように、より大きなサイズ（等級）の鉱物１２ｃ、１２ｄは、それぞれスクリーン１１ｃ、１１ｄの上に落下し、その等級の排出口１５ｃ、１５ｄから排出される。
最も大きなサイズの鉱物１２ｅは、スクリーン１１ａ〜ｄを一切通過せず、スクリーンｄ上を転がって、排出口１５ｅから排出される。
本発明では、風力によって鉱物のサイズごとに分離することと、選別スクリーン１１を組み合わせることによって、一定範囲の鉱物１２が落ちる位置を、選別スクリーン１１表面の一定の範囲内とすることにより、より大きな鉱物とからむように落下するのを防ぎ、選別スクリーン１１による選別能力を著しく向上させるものである。
つまりは、風力による選別と選別スクリーンを単に組み合わせただけでなく、両者を組み合わせたことにより、選別スクリーンによる選別をスムーズに行えるようにし、選別スクリーン１１の長さや広さをコンパクトに出来るという格別の効果を達成するものである。【００１５】
＜６＞集塵作業
非常に細かな塵状態の鉱物は、集塵装置９の作動によって鉱物選別空間４から集塵口１０を通って、集められる。
このように、図１の選別装置では、鉱物１２は６段階のサイズに選別されることになる。
図に示す実施例では、選別スクリーン１１は複数枚備えているが、集塵装置９や回収口１７を合わせれば、選別スクリーン１１が１枚でも、四つのサイズの鉱物１２に選別できる。
つまりは、選別スクリーン１１は必ずしも複数枚必要なわけではない。
【実施例２】
【００１６】
図２に示すのは、本発明の第二実施例であって、ハウジング躯体１の送風口２から離れた最奥部には、選別スクリーンを有さず、その下に落下して回収される回収口１７が設けられている。
回収口１７を形成する隔壁１８の最上端には、傾斜角度を変更可能な後部ダンパー１９が取り付けられている。
鉱物の種類によって、その飛距離に微妙に違いが出た場合、その飛距離に応じて後部ダンパー１９の角度を変え、より小さい鉱物１２との選別をより正確に行うことが可能となる。
この回収口１７からは、最も遠く飛んだ小さなサイズの鉱物１２が排出され、回収される。
このように、最小径の鉱物１２は、選別スクリーンを通さずに回収することにより、選別の妨げになるものを極力廃することによって、選別効率を上げることができる。
隔壁１８の中間には、回収口１７側へ傾くことが可能なダンパー２１が設けられている。隔壁１８より遠くへ飛んだ鉱物１２を、排出口１５ａ側へ排出して、選別スクリーン１１ａを通過してきた鉱物１２ａと混入するとき、ダンパー２１を回収口１７側へ倒して、排出口１５ａ側へ排出する。
【実施例３】
【００１７】
図３に示すのは、本発明の第三実施例であって、各選別スクリーン１１の、送風口２から離れた側の端部が、その上に落下して選別すべき鉱物１２の最長到達位置までとしてある。
鉱物１２の飛ぶ距離は、その送風ファン３の性能と合わさって、その鉱物１２のサイズに応じて変わり、それは実験データとして、予め求められる。
この実験によって各選別スクリーン１１ａ〜ｄは、その選別スクリーン１１ａ〜ｄによって篩分けして集めるサイズの鉱物１２ａ〜ｄが飛び至る距離を定めることが出来る。
この第三実施例での各選別スクリーン１１ａ〜ｄは、その送風口２から離れた側の先端部を、好ましくは、実験によって求められた距離一杯（最長到達位置）まで正確に伸ばし、それ以下のサイズの鉱物１２が飛ぶ処までは、伸ばさない。
このことにより、飛ばされた鉱物１２は、それ以上のサイズの鉱物が選り分けられるスクリーン１１を通過することなく、そのほとんどが、選別されるべきスクリーン１１上にほぼ正確に落下することになる。【００１８】
前記した第一及び第二実施例を示す図１及び図２の選別装置であると、篩目のサイズより小径の鉱物であっても、それより篩目の大きな選別スクリーンの網に当って、手前にはじかれてしまうことがある。はじかれると、より大きなサイズの鉱物と一緒にスクリーン上に滞留したりして、スムーズなスクリーンの通過が行われない。
図３に示す実施例では、鉱物１２はより大きなサイズを選り分けるスクリーン１１上に落下せず、直接、そのサイズを篩分けるスクリーン１１の上に落下する。
したがって、より篩目の大きなスクリーン１１によって落下が妨げられることなく、より小さなサイズの鉱物１２のスクリーン１１の通過はスムーズとなる。
【実施例４】
【００１９】
図４に示すのは、本発明の第四実施例を示すもので、第三実施例のように、選別スクリーン１１の先端を、篩分けるべきサイズの鉱物１２が飛び至るまでとして、その各スクリーン１１の先端に、傾斜角度が変更可能なように、中間ダンパー２０を取付けたものである。
鉱物１２の種類によって飛ぶ距離が微妙に変化したとき、中間ダンパー２０の角度を変えて、その飛び至る位置に合わせて選別の境界位置を調整し、より正確な選別を可能としたものである。
また、図４の実施例では、選別スクリーン１１よりも更に奥に、選別スクリーンを有しない回収口１７を備えている。
このような中間ダンパー２０は、図１及び図２の実施例においても実施可能であって、中間ダンパー２０は、各選別スクリーン１１の先端ではなく、選別すべき鉱物１２が飛び至る位置に、選別スクリーン１１の中間にて設けるものである。
【図面の簡単な説明】
【００２０】
【図１】本発明にかかる選別装置の第一実施例の説明図である。
【図２】最奥部に排出口を設けた第二実施例の説明図である。
【図３】選別スクリーンの端部を選別すべき鉱物が飛び至るまでとした第三実施例の説明図である。
【図４】選別スクリーンの端部を選別すべき鉱物が飛び至るまでとし、かつその端部に中間ダンパーを設けた第四実施例の説明図である。
【符号の説明】
【００２１】
Ａ：フルイキ
１：ハウジング
２：送風口
３：送風ファン
４：選別空間
５：投入口
９：集塵装置
１１：選別スクリーン
１２：鉱物
１５：排出口
１７：回収口
【図１】
2008126154.tif 000003
【図２】
2008126154.tif 000004
【図３】
2008126154.tif 000005
【図４】
2008126154.tif 000006
【手続補正書】
【提出日】平成21年1月15日(2009.1.15)
【手続補正１】
【補正対象書類名】特許請求の範囲
【補正対象項目名】全文
【補正方法】変更
【補正の内容】
【特許請求の範囲】
【請求項１】
投入された鉱物を風力分離するための送風手段と、
落下した鉱物を受け、一定以上のサイズの鉱物を選別し、一定以下のサイズの鉱物を通過させる選別手段とを有する鉱物の選別方法において、
送風手段によって、より小径の鉱物をより遠くへ飛ばしてエアー分級する第１分級工程と、
鉱物を風力分離する空間下に、互いに間隔を隔てて階層的に配設した目合い寸法の異なる複数の選別スクリーンにより構成される選別手段の上に、前記第１分級工程で分級した鉱物を落下させ、
選別手段を構成する複数の選別スクリーンによって複数サイズの鉱物を選別する第２分級工程とを有すること、
を特徴とする鉱物の選別方法。
【請求項２】
請求項１において、前記階層的に配設した複数の選別スクリーンの網目寸法が上位から下位にしたがって小さい寸法に形成されていることを特徴とする鉱物の選別方法。
【請求項３】
選別する鉱物を風力分離して、鉱物の大きさを選別する鉱物の選別装置であって、
鉱物を風力分離する空間から粉塵を集める集塵装置を有しており、
鉱物を風力分離する空間下に、複数サイズの鉱物を選別する目合い寸法の異なる複数の選別スクリーンを互いに間隔を隔てて階層的に配設したこと、
を特徴とする鉱物の選別装置。
【請求項４】
選別する鉱物を風力分離して、鉱物の大きさを選別する鉱物の選別装置であって、
鉱物を風力分離する空間から粉塵を集める集塵装置を有しており、
鉱物を風力分離する空間下に、複数サイズの鉱物を選別する目合い寸法の異なる複数の選別スクリーンを互いに間隔を隔てて階層的に配設し、
前記複数の選別スクリーンの端部を、選別すべき鉱物が飛び至る位置までとしたこと、
を特徴とする鉱物の選別装置。
【請求項５】
請求項２又は３記載の鉱物の選別装置であって、
前記階層的に配設した複数の選別スクリーンの網目寸法が上位から下位にしたがって小さい寸法に形成されていることを特徴とする鉱物の選別装置。
【請求項６】
請求項３又は４記載の鉱物の選別装置であって、
選別スクリーンの端部より更に奥に、選別スクリーンを有さない回収口を形成したこと、
を特徴とする鉱物の選別装置。
【請求項７】
請求項３、４又は６記載の鉱物の選別装置であって、
前記選別スクリーンには、選別すべき鉱物が飛び至る位置に、
鉱物を振り分ける中間部ダンパーを設けたこと、
を特徴とする鉱物の選別装置。
【手続補正２】
【補正対象書類名】明細書
【補正対象項目名】０００６
【補正方法】変更
【補正の内容】
【０００６】
最も大きなサイズの鉱物１２ｅは、スクリーン１１ａ〜ｄを一切通過せず、スクリーンｄ上を転がって、排出口１５ｅから排出される。
本発明では、風力によって鉱物のサイズごとに分離することと、選別スクリーン１１を組み合わせることによって、一定範囲の鉱物１２が落ちる位置を、選別スクリーン１１表面の一定の範囲内とすることにより、より大きな鉱物とからむように落下するのを防ぎ、選別スクリーン１１による選別能力を著しく向上させるものである。
つまりは、風力による選別と選別スクリーンを単に組み合わせただけでなく、両者を組み合わせたことにより、選別スクリーンによる選別をスムーズに行えるようにし、選別スクリーン１１の長さや広さをコンパクトに出来るという格別の効果を達成するものである。
［００１５］
＜６＞集塵作業
非常に細かな塵状態の鉱物は、集麈装置９の作動によって鉱物選別空間４から集塵口１０を通って、集められる。
このように、図１の選別装置では、鉱物１２は６段階のサイズに選別されることになる。
図に示す実施例では、選別スクリーン１１は複数枚備えているが、集塵装置９や回収口１７を合わせれば、選別スクリーン１１が１枚でも、四つのサイズの鉱物１２に選別できる。
実施例２
［００１６］
図２に示すのは、本発明の第二実施例であって、ハウジング躯体１の送風口２から離れた最奥部には、選別スクリーンを有さず、その下に落下して回収される回収口１７が設けられている。
回収口１７を形成する隔壁１８の最上端には、傾斜角度を変更可能な後部ダンパー１９が取り付けられている。
鉱物の種類によって、その飛距離に微妙に違いが出た場合、その飛距離に応じて後部ダンパー１９の角度を変え、より小さい鉱物１２との選別をより
【国際調査報告】
2008126154.tif 000007
2008126154.tif 000008
2008126154.tif 000009
2008126154.tif 000010